(57)【要約】      （修正有）【課題】ゴルフ特有のスイングや距離感覚等の鍛練や、遠方の特定された場所に出向いて練習していたゴルフと、興味津々のパチンコゲームを一度に体験出来得る様にした遊技具を提供する。【解決手段】室内施設に於いてゴルフクラブでフルスイングして、高く遠くへ飛ばさずスイングの醍醐味を損なうことなく、練習や競技が出来る様にクラブヘッドを改造する。また、難易度の高いゴルフボールの走行レーン１を設け、遠方に設置した障害ルートボード５にコントロールしたゴルフボールを打ち込み、集球して障害ルートボード５の上部ホッパー１３に送り落下させる。障害棒で選考されながら得点センサーをヒットし得点に応じて、返球装置でプレーヤーの居るプレーゾーンに返球し、再度繰り返しながら、ゴルフスイングからプレーを続行することが出来る。【選択図】図１
0003169607.tif 000002
【実用新案登録請求の範囲】
【請求項１】
ゴルフクラブのヘッドを高く遠くえ飛ばない様に改造し、ゴルフボールが床面を走行する様に、球の中心よりクラブヘッドの当る面を少し高くし、床面の随所に障害を設けて、通過したボールは、縦向きに設置した障害ルートボートに打込んで、落下しながら障害棒で選考され得点センサーをヒットしながら落下し、アウト球となって回収する遊戯具。
【請求項２】
本考案の［請求項１］で設置した床面の障害を避けて、本考案の縦向きに設置した障害ルートボードに、ゴルフボールが直接届く様に、床面の少し上部を飛ばすため、球の中心よりクラブヘッドの当る面を少し低くし、規定高さ以下の角度で飛ばせるゴルフクラブ。
【請求項３】
既存のゴルフクラブの形状のままでフルスイングして、本考案の遊戯具でプレーするために、ヘッドの材質等を変えて柔軟性や緩衝を持たせて、通常のスイングでも強く遠くへ飛ばない様にしたゴルフクラブ。
【請求項４】
ゴルフボールが、得点センサーをヒットした得点に応じてゴルフボールを、プレーヤーの居るプレーゾーンに返球して、再度プレーを繰返す、新品ボールで有れば、持ち帰る事も出来る様に返球装置も設けた遊戯具。
【考案の詳細な説明】
【技術分野】
【０００１】  本考案は、室内でゴルフボールをクラブで打ち、ボールの走行レーンに障害を設けて、パチンコ台形式のプレーゾーンを有した大型ボードで再度遊戯し、ゴルフの醍醐味でプレーする遊戯具である。
【背景技術】
【０００２】  ゴルフをプレーする場合、広大なコースで技術を駆使し競技を競い、パチンコは室内でプレーする遊戯で、パチンコ玉をパチンコ台に打込んで、障害針等をクリアーして出玉の数を競っている。
【考案の概要】
【考案が解決しようとする課題】
【０００３】  ゴルフをプレーするには、屋外の広大な場所と長い距離が必要で、ゴールする迄は高度な技術が要求され、パチンコゲームは室内で遊戯し、台を構成する煩雑な仕組みを交わして賞品を得る楽しみを有している、この二つのプレーや遊戯を組合せて、一度に双方のプレー技術や遊戯の醍醐味を室内で体験しようとするものである。
【課題を解決するための手段】
【０００４】  本考案は、ゴルフでプレーするクラブのヘッドを変えて、クラブの長さは規定通りで、スイングには支障を来たさないヘッド形状とし、このスイングプレーを室内で行なえる様に、ヘッドがゴルフボールに当っても強く高く上らない様にヘッドフェースを形成し、ボールを走行させるためレーンを設け、走行に難関を与えるため一部に障害を設け、プレーする地点より少し遠い場所に、ボールの速度やルートに応じて、パチンコ台に相当する本考案の障害ボードに打込んで、ゴルフスイングでゴルフボールを打ち、障害ボードの障害棒で煩雑な変化を与えて、二つのプレーや遊戯を室内で一度に行なえる様に、構成すれば解決出来る。
【考案の効果】
【０００５】  ゴルフプレーヤーは、遠方の自然に囲まれた限り有る貴重なコースで、技を磨いて規定された回数の中でゲームを行うので、ゴルフクラブのスイングがその判定に大きく影響する、その為には、ゴルフスイングの練習は必要不可欠である、住いする家の近くに設置された、本考案の室内遊戯具で、ゴルフスイングの練習をしながら、パチンコの醍醐味を味わいスイングの技も磨ける、又、ゴルフのプレーを行わない人々も、本考案の施設で体を動かし運動不足を補いながら、ボールが得点センサーをヒットし得点を重ね賞品を獲得すれば、心身にも良い効果をもたらす。
【図面の簡単な説明】
【０００６】
【図１】  本考案の遊戯具を示す全体の斜傾図である。
【図２】  図１で示す全体の断面図である。
【図３】  ゴルフボールが打込まれる障害ボードの前面図
【図４】  請求項１で使用するレーン上面を走行させるためのヘッド形状の拡大図
【図５】  請求項２で使用するレーンを避けて飛ばすためのヘッド形状の拡大図
【考案を実施するための最良の形態】
【０００７】  既存のゴルフクラブのヘッドのみを改造し、ゴルフボールが床面を走行する様にして、設置したレーン１上面を打飛されて、ボールを打った地点から少し遠方の縦向きに設けた障害ルートボード５に向かって走行させ、ゴルフボールのコースや強さによっても高低差が生じる様に、レーンの一部に角度調整板３を設置して、ゴルフボールが猛速で障害ルートボード５の前面透明板７に当ると落下して、横行装置１１で縦行装置１２に送りボードの裏で縦行装置１２によって上昇させ、頂部ホッパー１３へ投入すると落下し、障害棒６の有る空間で得点センサーをヒットしながら落下しアウト球となって回収される、
前面透明板７に設けたサービス穴８，９を貫通したボールは、高得点センサー１０をヒットして障害棒６の有る空間でも、得点センサー１０をヒットしながら落下しアウト球となって回収される構造をなし、ゴルフボールを打った地点と少し遠方の障害ルートボード５との間に設置したレーン１上面には、必要に応じ障害物やボールの落下穴２を設けアウト球とし、障害ボード５に到達する迄の走行レーン１にも変化を施して、ボールを打った強弱によっても、角度調整板３が難易度を高めるボールの走行レーン１であり、レーンの上面を走行させるための、ゴルフクラブのヘッド形状１５は、ボールを床面においた球の高さの中心より少し高い位置で、ヘッドの当る面を図４で示すＲ１が床からの高さで制約して、どのクラブ１７で打ってもゴルフボールが高く上らない形状を有している、
難易度を高めた走行レーン１を避けるためゴルフクラブのヘッド形状１６を、ゴルフボールを床に置いた球の高さの中心より少し低い位置えヘッドの当る面を、図５で示すＲ２の高さで制限して打ったボールの飛ぶ角度が、規程高さ以下になる形状にし、ボールを強打すると走行レーン１の面に触れることなく少し上空を飛び、遠方に設けた［請求項１］で設置した障害ルートボード５の前面透明板７に直接当る、尚、既設のゴルフクラブのセットで打つならば、障害ルートボード５を強化しレーン両側に仕切板４を設けて、隣のレーンに入らない様にし、安全を考慮した仕様を定めておく
ゴルフボールが、得点センサー１０をヒットした得点に応じてゴルフボールを、プレーヤーの居るプレーゾーンに返球して再度プレーを繰返すか、新品ボールで有ればゴルフ場での使用に持ち帰る事も出来る様に返球装置を備え、又、既存のゴルフクラブの形状はそのままで、ヘッドの材質等を変えて柔軟性や緩衝を持たせて、通常のスイングでも高く遠くへ飛ばないゴルフクラブを使用すると、本考案の遊戯具でプレーが出来る。
【実施例】
【０００８】室内遊戯場に於いて、ゴルフプレーの持つスイングでゴルフボールを打込み、その弾道で連習とサバイバルを過て、特設のパチンコ機でゴルフボールが落下しながら得点を重ね、返球されたボールは賞品として獲得出来る一挙両得の体験が出来る様に構成した、室内遊戯具として提供、又、発汗後のシャワー等も設け、身のリフレッシュも可能となる。
【符号の説明】
【０００９】１．走行レーン
２．落とし穴
３．角度調整板
４．仕切板
５．障害ルートボード
６．障害棒
７．前面透明板
８．高得点サービス穴
９．中得点サービス穴
１０．得点センサー
１１．横行装置
１２．縦行装置
１３．ホッパー
１４．ゴルフボール
１５．球の中心より少し高いヘッド
１６．球の中心より少し低いヘッド
１７．ゴルフクラブ
【図１】
0003169607.tif 000003
【図２】
0003169607.tif 000004
【図３】
0003169607.tif 000005
【図４】
0003169607.tif 000006
【手続補正書】
【提出日】平成23年1月24日(2011.1.24)
【手続補正１】
【補正対象書類名】実用新案登録請求の範囲
【補正対象項目名】全文
【補正方法】変更
【補正の内容】
【実用新案登録請求の範囲】
【請求項１】
ゴルフボールがレーンを走行する際に、レーンの随所に障害を設け、レーンの端に障害ルートボードを縦向きに設置し、通過したゴルフボールは前記障害ルートボードの上部から落下させ、その際ゴルフボールが落下するルートを変化させる複数の障害棒と、ゴルフボールが通過する際に機能する得点センサーをヒットさせながら落下し、アウト球となって回収することを特徴とする遊戯具。
【請求項２】
ゴルフボールが前記障害ルートボードの得点センサーをヒットした得点に応じて、ゴルフボールを、プレーヤーの居るプレーゾーンに返球して、再度プレーを繰返すことが出来る返球装置を設けたことを特徴とする請求項１に記載の遊戯具。
【請求項３】
前記障害ルートボードの前面に透明板を設置し、前記透明板にはサービス穴を設け通過したゴルフボールを、前記障害ルートボードの得点センサーを直接ヒットさせることを特徴とする請求項１に記載の遊戯具。
【請求項４】
前記レーンの一部に、角度調整板を設置し、前記角度調整板に拠って高く飛んだゴルフボールが、前記透明板のサービス穴を通過する様にしたことを特徴とする請求項３に記載の遊戯具。
【手続補正２】
【補正対象書類名】明細書
【補正対象項目名】０００６
【補正方法】変更
【補正の内容】
【０００６】
【図１】  本考案の遊戯具を示す全体の斜傾図である。
【図２】  図１で示す全体の断面図である。
【図３】  ゴルフボールが打込まれる障害ボードの前面図
【図４】  請求項１で使用するレーン上面を走行させるためのヘッド形状の拡大図
【手続補正３】
【補正対象書類名】明細書
【補正対象項目名】０００７
【補正方法】変更
【補正の内容】
【０００７】既存のゴルフクラブのヘッドのみを改造し、ゴルフボールが床面を走行する様にして、設置したレーン１上面を打飛されて、ボールを打った地点から少し遠方の縦向きに設けた障害ルートボード５に向かって走行させ、ゴルフボールのコースや強さによっても高低差が生じる様に、レーンの一部に角度調整板３を設置して、ゴルフボールが猛速で障害ルートボード５の前面透明板７に当ると落下して、横行装置１１で縦行装置１２に送りボードの裏で縦行装置１２によって上昇させ、頂部ホッパー１３へ投入すると落下し、障害棒６の有る空間で得点センサーをヒットしながら落下しアウト球となって回収される、
前面透明板７に設けたサービス穴８，９を貫通したボールは、高得点センサー１０をヒットして障害棒６の有る空間でも、得点センサー１０をヒットしながら落下しアウト球となって回収される構造をなし、ゴルフボールを打った地点と少し遠方の障害ルートボード５との間に設置したレーン１上面には、必要に応じ障害物やボールの落下穴２を設けアウト球とし、障害ボード５に到達する迄の走行レーン１にも変化を施して、ボールを打った強弱によっても、角度調整板３が難易度を高めるボールの走行レーン１であり、レーンの上面を走行させるための、ゴルフクラブのヘッド形状１５は、ボールを床面においた球の高さの中心より少し高い位置で、ヘッドの当る面を図４で示すＲ１が床からの高さで制約して、どのクラブ１６で打ってもゴルフボールが高く上らない形状を有している、
ゴルフボールが、得点センサー１０をヒットした得点に応じてゴルフボールを、プレーヤーの居るプレーゾーンに返球して再度プレーを繰返すことが出来る様に返球装置を備え、又、既存のゴルフクラブの形状はそのままで、ヘッドの材質等を変えて柔軟性や緩衝を持たせて、通常のスイングでも高く遠くへ飛ばないゴルフクラブを使用すると、本考案の遊戯具でプレーが出来る。
【手続補正４】
【補正対象書類名】明細書
【補正対象項目名】０００８
【補正方法】変更
【補正の内容】
【０００８】室内遊戯場に於いて、ゴルフプレーの持つスイングでゴルフボールを打込み、その弾道で連習とサバイバルを過て、本考案の障害ルートボードでゴルフボールが落下しながら得点を重ね、返球されたボールは賞品として獲得出来る一挙両得の体験が出来る様に構成した、室内遊戯具として提供、又、発汗後のシャワー等も設け、身のリフレッシュも可能となる。
【手続補正５】
【補正対象書類名】明細書
【補正対象項目名】０００９
【補正方法】変更
【補正の内容】
【０００９】１．走行レーン
２．落とし穴
３．角度調整板
４．仕切板
５．障害ルートボード
６．障害棒
７．前面透明板
８．高得点サービス穴
９．中得点サービス穴
１０．得点センサー
１１．横行装置
１２．縦行装置
１３．ホッパー
１４．ゴルフボール
１５．球の中心より少し高いヘッド
１６．ゴルフクラブ
【手続補正６】
【補正対象書類名】図面
【補正対象項目名】図２
【補正方法】変更
【補正の内容】
【図２】
0003169607.tif 000007
【手続補正７】
【補正対象書類名】図面
【補正対象項目名】図４
【補正方法】変更
【補正の内容】
【図４】
0003169607.tif 000008
【手続補正書】
【提出日】平成23年5月18日(2011.5.18)
【手続補正１】
【補正対象書類名】実用新案登録請求の範囲
【補正対象項目名】請求項１
【補正方法】変更
【補正の内容】
【請求項１】
ゴルフボールがレーンを走行する様にし、そのレーンの随所に障害を設け、レーンの終端に障害ルートボードを縦向きに設置し、レーンを通過したゴルフボールは、前記障害ルートボードの上下に設けたプーリーを、ベルトで連結した縦行装置の上向きに移動するベルトに取付けたボール受けに乗せて、障害ルートボードの頂上迄運び頂部ホッパーに投入するとボールは落下し、その際ゴルフボールはルートを変化させる複数の障害棒と、ゴルフボールが通過する際に機能する得点センサーをヒットさせながら落下し、アウト球となって回収することを特徴とする遊戯具。